(57)【要約】【課題】シンプルな構成の取出口を有する容器を形成する構造体を提供する。【解決手段】口部を有する容器本体と、内筒と、キャップとを備える容器が提供される。内筒は、筒状の側壁を有し、側壁は、口部内に挿入されている。側壁には、容器本体の内部空間に収容されている内容物を取り出すための注出口が形成されている。内筒は、開位置と閉位置との間を移動可能に構成されている。開位置は、側壁が口部を介して内部空間から引き出されるように前進し、注出口が露出した位置である。閉位置は、側壁が内部空間側へ後退し、注出口が内部空間内に収容された位置である。キャップは、内筒に接続されており、口部に対し着脱自在に固定されるキャップ。キャップは、口部に対し固定されたとき、内筒を閉位置にロックし、内筒を内部空間内に閉じ込めるように覆う。【選択図】図７Ａ
2018184182.tif 000002
【特許請求の範囲】
【請求項１】
口部を有する容器本体と、
前記口部内に挿入されている筒状の側壁を有する内筒であって、前記側壁には、前記容器本体の内部空間に収容されている内容物を取り出すための注出口が形成されており、前記側壁が前記口部を介して前記内部空間から引き出されるように前進し、前記注出口が露出した開位置と、前記側壁が前記内部空間側へ後退し、前記注出口が前記内部空間内に収容された閉位置との間を移動可能に構成されている内筒と、
前記内筒に接続されており、前記口部に対し着脱自在に固定されるキャップであって、前記口部に対し固定されたとき、前記内筒を前記閉位置にロックし、前記内筒を前記内部空間内に閉じ込めるように覆うキャップと
を備える、容器。
【請求項２】
前記内容物は、固形物を含む、
請求項１に記載の容器。
【請求項３】
前記内容物は、粒状であり、
前記内筒の前記内容物の通路の最小径をｒとし、前記内容物の最大径をＲとしたとき、１．０＜ｒ／Ｒ≦２．０である、
請求項２に記載の容器。
【請求項４】
前記注出口は、前記側壁の中心軸を基準として周方向に１８０°未満の範囲で広がっている、
請求項１から３のいずれかに記載の容器。
【請求項５】
前記内筒は、前記側壁内において前記注出口の下流側の端部付近を通り斜断面状に広がる壁部材をさらに有し、
前記壁部材は、前記側壁内の前記内容物の進路方向に沿って前記注出口の内側から前記注出口へ向かって傾斜している、
請求項１から４のいずれかに記載の容器。
【請求項６】
前記壁部材は、前記進路方向に対し３０°〜６０°の傾斜角を為す、
請求項５に記載の容器。
【請求項７】
前記内筒は、前記側壁に接続されており、前記側壁が前記口部を介して前記内部空間から引き出されるように外力が加えられたときに、前記口部から脱落しないように前記口部に接触して止まるストッパーをさらに有する、
請求項１から６のいずれかに記載の容器。
【請求項８】
前記ストッパーは、前記側壁から径方向外方へ突出している突起を含み、
前記側壁には、前記側壁内の前記内容物の進路方向に沿った内側端から前記進路方向に沿って延びる切込みが形成されている、
請求項７に記載の容器。
【請求項９】
請求項１から８のいずれかに記載の容器と、
前記容器を収容する箱形の外側容器と
を備え、
前記容器本体は、袋状である、
バッグインボックス。
【請求項１０】
容器内から内容物を取り出すための取出口を形成する構造体であって、
前記容器に取り付けられる口部と、
前記口部内に挿入される筒状の側壁を有する内筒であって、前記側壁には、前記容器内に収容されている内容物を取り出すための注出口が形成されており、前記側壁が前記口部を介して前記容器及び前記口部により形成される内部空間内から引き出されるように前進し、前記注出口が露出した開位置と、前記側壁が前記内部空間側へ後退し、前記注出口が前記内部空間内に収容された閉位置との間を移動可能に構成されている内筒と、
前記内筒に接続されており、前記口部に対し着脱自在に固定されるキャップであって、前記口部に対し固定されたとき、前記内筒を前記閉位置にロックし、前記内筒を前記内部空間内に閉じ込めるように覆うキャップと
を備える、構造体。
【発明の詳細な説明】
【技術分野】
【０００１】
本発明は、容器及び容器の取出口を形成する構造体に関し、これに限定されないが、特にバッグインボックスに使用するのに適した容器及び容器の取出口を形成する構造体に関する。
【背景技術】
【０００２】
容器内から内容物を取り出すための取出口を形成する構造体は、例えば、容器の口部と、口部に取り付けられるキャップとにより形成することができる。このような構造はシンプルであるが、単にキャップを取り外すだけで取出口が開かれる構造では、内容物の取り出し作業が困難となり得る。例えば、大きな容器から小さな容器に内容物を分注するような場合、キャップを取り外した後、大きな容器を傾けなければならないが、容器が重いと作業に失敗し、内容物を溢してしまうことになり兼ねない。
【０００３】
この点、コック式の取出口を有するウォーターサーバーが知られている（特許文献１，２）。コック式であれば、簡単な操作で取出口を開くことができる。
【先行技術文献】
【特許文献】
【０００４】
【特許文献１】特開２０１３−１６３５３９号公報
【特許文献２】実用新案登録第３１７５８１７号
【発明の概要】
【発明が解決しようとする課題】
【０００５】
しかしながら、コック式の取出口とすると、構造が複雑であり、コスト高となり得る。
【０００６】
本発明は、シンプルな構成の取出口を有する容器、及びシンプルな構成の取出口を形成する構造体を提供することを目的とする。
【課題を解決するための手段】
【０００７】
本発明の第１観点に係る容器は、口部を有する容器本体と、内筒と、キャップとを備える。内筒は、筒状の側壁を有し、側壁は、口部内に挿入されている。側壁には、容器本体の内部空間に収容されている内容物を取り出すための注出口が形成されている。内筒は、開位置と閉位置との間を移動可能に構成されている。開位置は、側壁が口部を介して内部空間から引き出されるように前進し、注出口が露出した位置である。閉位置は、側壁が内部空間側へ後退し、注出口が内部空間内に収容された位置である。キャップは、内筒に接続されており、口部に対し着脱自在に固定されるキャップ。キャップは、口部に対し固定されたとき、内筒を閉位置にロックし、内筒を内部空間内に閉じ込めるように覆う。
【０００８】
本発明の第２観点に係る容器は、第１観点に係る容器であって、内容物は、固形物を含む。
【０００９】
本発明の第３観点に係る容器は、第２観点に係る容器であって、内容物は、粒状である。内筒の内容物の通路の最小径をｒとし、内容物の最大径をＲとしたとき、１．０＜ｒ／Ｒ≦２．０である。
【００１０】
本発明の第４観点に係る容器は、第１観点から第３観点のいずれかに係る容器であって、注出口は、側壁の中心軸を基準として周方向に１８０°未満の範囲で広がっている。
【００１１】
本発明の第５観点に係る容器は、第１観点から第４観点のいずれかに係る容器であって、内筒は、側壁内において注出口の下流側の端部付近を通り斜断面状に広がる壁部材をさらに有する。壁部材は、側壁内の内容物の進路方向に沿って注出口の内側から注出口へ向かって傾斜している。
【００１２】
本発明の第６観点に係る容器は、第５観点に係る容器であって、壁部材は、進路方向に対し３０°〜６０°の傾斜角を為す。
【００１３】
本発明の第７観点に係る容器は、第１観点から第６観点のいずれかに係る容器であって、内筒は、側壁に接続されており、側壁が口部を介して内部空間から引き出されるように外力が加えられたときに、口部から脱落しないように口部に接触して止まるストッパーをさらに有する。
【００１４】
本発明の第８観点に係る容器は、第１観点から第７観点のいずれかに係る容器であって、ストッパーは、側壁から径方向外方へ突出している突起を含む。側壁には、側壁内の内容物の進路方向に沿った内側端から進路方向に沿って延びる切込みが形成されている。
【００１５】
本発明の第９観点に係るバッグインボックスは、第１観点から第８観点のいずれかに係る容器と、容器を収容する箱形の外側容器とを備える。容器本体は、袋状である。
【００１６】
本発明の第１０観点に係る構造体は、容器内から内容物を取り出すための取出口を形成する構造体であって、容器に取り付けられる口部と、内筒と、キャップとを備える。内筒は、筒状の側壁を有し、側壁は、口部内に挿入される。側壁には、容器内に収容されている内容物を取り出すための注出口が形成されている。内筒は、開位置と閉位置との間を移動可能に構成されている。開位置は、側壁が口部を介して容器及び口部により形成される内部空間内から引き出されるように前進し、注出口が露出した位置である。閉位置は、側壁が内部空間側へ後退し、注出口が内部空間内に収容された位置である。キャップは、内筒に接続されており、口部に対し着脱自在に固定される。キャップは、口部に対し固定されたとき、内筒を閉位置にロックし、内筒を内部空間内に閉じ込めるように覆う。
【発明の効果】
【００１７】
本発明によれば、容器本体の口部内に内筒（筒状の側壁）が引き出し可能に挿入されており、口部に対し内筒を進退させることにより、内筒に形成されている注出口を開閉することができる。よって、シンプルな構成の取出口が実現される。また、内筒には、口部に対し着脱自在なキャップが接続されており、キャップが口部に固定されたとき、キャップにより内筒が容器本体内に閉じ込められるように覆われる。従って、密閉性も保たれる。
【図面の簡単な説明】
【００１８】
【図１】本発明の一実施形態に係る内袋（容器）の外観斜視図。
【図２】バッグインボックスの外観斜視図。
【図３】内袋の口部付近の外観斜視図。
【図４】内筒の側面図。
【図５】内筒の斜視図。
【図６】内筒を別の角度から見た斜視図。
【図７Ａ】開状態の取出口を形成する構造体。
【図７Ｂ】閉状態の取出口を形成する構造体。
【図８】キャップの側面図。
【図９】キャップを外側から見た斜視図。
【図１０】キャップを内側から見た斜視図。
【図１１】開口部が形成されている外箱の側面を示す図。
【発明を実施するための形態】
【００１９】
以下、図面を参照しつつ、本発明の一実施形態に係る容器及び容器の取出口を形成する構造体、並びにこれを備えるバッグインボックスについて説明する。
【００２０】
＜１．バッグインボックスの全体構成＞
図１に、本発明の一実施形態に係る容器である袋状の内側容器（以下、内袋という）２の外観斜視図を示し、図２に、内袋２を備えるバッグインボックス１の外観斜視図を示す。バッグインボックス１は、２重構造の容器であり、内袋２に加え、内袋２を収容する箱形の外側容器（以下、外箱という）３をさらに備える。バッグインボックス１は、内容物を収容するための容器であり、内容物は内袋２内に収容される。使用状態において、内袋２内から内容物を取り出すための取出口を形成する構造体Ｄは、図１に示すように外箱３の外部に突出する。従って、使用者は、内袋２を外箱３に収容したままの状態で取出口にアクセスし、内容物を取り出すことができる。バッグインボックス１は、より小型の容器に小分けに移し替える前の内容物を貯蔵しておく目的で使用するのに適している。
【００２１】
＜２．各部の構成＞
＜２−１．内容物＞
内袋２内には、各種内容物を収容することができる。内容物の種類は特に限定されず、固形物（ゲルを含む）であっても、液状物であっても、その両方であってもよいが、本実施形態の内容物は、主として空気清浄機能を有するゲル状のビーズであり、その形状は球状である。ただし、ビーズの粒の形状は、球状でなくてもよく、例えば、直方体状、星型等の幾何学体形状や、動物、植物、アニメキャラクター等の特殊形状とすることもできる。本実施形態では、多数の球状のビーズが内袋２内に収容されるが、個々の内容物の形状については、同じ形状であっても、異なる形状であっても構わない。
【００２２】
ビーズは、水分及び機能性成分を含有しており、この水分は、ゲル状のビーズ玉から分離し得る。よって、本実施形態の内容物は、環境条件にもよるが、固形物と液状物との混合体である。機能性成分とは、ビーズが使用される環境で所望の空気清浄機能を発現可能な成分であり、例えば、消臭成分、芳香成分、防虫成分、抗菌成分等が挙げられる。これらの機能性成分は、１種単独で使用してもよいし、２種以上を組み合わせて使用してもよい。好ましい組み合わせとしては、芳香成分及び消臭成分の組み合わせが挙げられる。機能性成分は、油性及び水溶性のいずれであってもよい。なお、機能性成分が油性である場合には、ビーズに油分を含ませておくことが重要である。機能性成分は、使用される環境で空気中に揮散可能であることが好ましい。
【００２３】
芳香成分としては、例えば、ラベンダ−、レモン、オレンジ、ジャスミン、ペパ−ミント等の天然香料；リモネン、タ−ピノレン、ゲラニオ−ル、シトロネロ−ル、酢酸エチル等の合成香料；及びこれらのブレンド香料等が挙げられる。
【００２４】
また、消臭成分としては、例えば、イネ、松、ヒノキ、笹等の植物の抽出物；脱塩型ベタイン化合物；変性有機酸化合物；トリエタノールアミン；安定化二酸化塩素；アルデヒド化合物等が挙げられる。
【００２５】
防虫成分としては、例えば、ヒノキチオール、ヒバ油、アリルイソチオシアネート、エタノール、プロパノール、１．８．シネオール等が挙げられる。
【００２６】
抗菌成分としては、例えば、オクチルトリメチルアンモニウムクロライド、ジデシルジメチルアンモニウムグルコン酸、クロルヘキシジン、グルコン酸クロルヘキシジン、アリルイソチオシアネート、プロピレングリコールモノメチルエーテル、プロピレングリコールモノプロピルエーテル等が挙げられる。
【００２７】
＜２−２．内袋＞
内袋２は、袋本体２０と、袋本体２０に取り付けられている口部１０とを有する。袋本体２０は、柔軟性のある素材から構成されており、本実施形態では合成樹脂製である。従って、袋本体２０は、空の状態では平面状に折り畳むことができるが、図１に示すように、内容物を収容するのに十分な広さの内部空間Ｓ１が形成されるように立体的に広げることができる。なお、ここでいう内部空間Ｓ１は、袋本体２０及び口部１０により形成される内袋２の本体部（容器本体）の内部空間を意味するものとする。
【００２８】
図３に、口部１０付近の外観斜視図を示す。口部１０は、円筒部１１と、円筒部１１の軸方向の一端１１ａに接続される基部１２を有する。口部１０の構造は、図７Ａ及び図７Ｂも参照すると分かり易い。円筒部１１は、軸方向の両端において開口しており、円筒部１１の外径及び内径は、軸方向に沿って概ね一定である。基部１２は、環状の部位であり、円筒部１１の端部１１ａから全周方向に亘って径方向外方に延びる部材である。すなわち、基部１２は、円筒部１１に対しフランジ状である。
【００２９】
円筒部１１の外周面上には、軸方向に平行に並ぶ突出部１３，１４が形成されている。突出部１３は、基部１２から軸方向に所定の間隔を空けて、円筒部１１の全周方向に亘って径方向外方に延びる環状の部位である。突出部１４は、突出部１３から基部１２と反対側に軸方向に沿って所定の間隔を空けて、円筒部１１の全周方向に亘って径方向外方に延びる環状の部位である。突出部１３，１４の軸方向の断面（横断面）は、略同形状である。突出部１３，１４は、いずれも円筒部１１に対しフランジ状である。後述するとおり、基部１２と突出部１３とに囲まれる空間には、内袋２を外箱３にセットしたときに外箱３の口部５５が挿入され、これにより口部１０が外箱３の外部に突出した状態に固定される。
【００３０】
また、円筒部１１の外周面上には、突出部１４よりも軸方向に沿って突出部１３と反対側の位置に、螺旋状に延びるねじ山１５が形成されている。ねじ山１５は、後述するキャップ４０に形成されているねじ山４６と螺号する。
【００３１】
口部１０に含まれる円筒部１１、基部１２、突出部１３，１４及びねじ山１５は、一体的に構成されている。口部１０の材質は、口部１０としての機能を果たすことができる限り特に限定されないが、本実施形態では硬質の合成樹脂製である。袋本体２０には、突出部１３，１４の横断面の外径と略同形状の開口２０ａが形成されており、この開口２０ａに対し袋本体２０の内側から、円筒部１１が突出部１３，１４及びねじ山１５とともに外側に突出するように挿入される。基部１２の外径は開口２０ａの外径よりも大きく、このとき、基部１２は開口２０ａを通り抜けることができない。そのため、円筒部１１の開口２０ａへの挿入時、基部１２は袋本体２０に接触して止まる。また、本実施形態では、袋本体２０において開口２０ａの周辺部は、基部１２と熱溶着されている。その結果、袋本体２０と口部１０とが強固に連結され、両部材により内袋２の本体部（容器本体）が形成される。なお、ねじ山１５の外径は、基部１２及び突出部１３，１４の外径よりも小さい。従って、ねじ山１５が、円筒部１１の開口２０ａへの挿入を妨げることはない。
【００３２】
円筒部１１内には、図４〜図６に示す内筒３０が挿入される。より具体的には、内筒３０は、筒状の側壁３１を有し、この側壁３１が円筒部１１内に挿入される。内筒３０は、側壁３１の軸方向の中央付近において、側壁３１に対し斜断面状に広がる壁部材３２をさらに有する。すなわち、壁部材３２は、側壁３１の中心軸に対し斜めに交差している。本実施形態の側壁３１は、壁部材３２を境界として径が変化する。より具体的には、側壁３１において壁部材３２よりも円筒部１１側の部位（以下、内側部位という）３１１の外径は、その反対側の部位（以下、外側部位という）３１２の外径よりも大きく、内径についても同様である。内側部位３１１の外径及び内径は、軸方向に沿って概ね一定である。また、外側部位３１２の外径及び内径も、軸方向に沿って概ね一定である。
【００３３】
側壁３１の内部空間は、側壁３１内において広がる壁部材３２により、軸方向に２つの空間Ｓ２１，Ｓ２２に分離される。空間Ｓ２１は、内側部位３１１の内部空間であり、空間Ｓ２２は、外側部位３１２の内部空間である。内側部位３１１は、軸方向に壁部材３２の反対側の端部において開口している。同様に、外側部位３１２も、軸方向に壁部材３２の反対側の端部において開口している。
【００３４】
内側部位３１１には、内部空間Ｓ２１を外部に連通させる注出口Ｓ３が形成されている。注出口Ｓ３は、内部空間Ｓ２１を介して袋本体２０の内部に連通している。そのため、注出口Ｓ３を介して、内袋２の内部空間Ｓ１に収容されている内容物を取り出すことができる。本実施形態では、注出口Ｓ３の下流側の端部は、壁部材３２により画定される。側壁３１の中心軸を基準として、周方向に注出口Ｓ３が広がる角度範囲θ（図５参照）は、θ＜１８０°であることが好ましく、θ＜１６０°あることがより好ましく、θ＜１４０°であることがさらに好ましい。注出口Ｓ３が大き過ぎると、特に内容物がゲル状のビーズである場合には、内容物が注出口Ｓ３から様々な方向に飛び出す虞があるが、上記数値範囲においては、内容物が様々な方向に飛び出しにくくなる。一方で、注出口Ｓ３が小さ過ぎると、内容物が詰まる虞があるため、６０°≦θであることが好ましく、８０°≦θであることがより好ましく、１００°≦θであることがさらに好ましい。なお、本実施形態では、θ＝１２０°である。
【００３５】
側壁３１は円筒部１１内を軸方向に沿って進退可能であり、これにより注出口Ｓ３が開閉される。側壁３１は、円筒部１１内をスライドしながら、注出口Ｓ３が開いた開位置（図７Ａ参照）と、注出口Ｓ３が閉じられた閉位置（図７Ｂ参照）との間を移動する。開位置は、側壁３１が円筒部１１を介して内部空間Ｓ１から引き出されるように前進した位置であり、同位置では、注出口Ｓ３が軸方向に沿って円筒部１１の外側に達し、その全体が外部空間に露出する。閉位置は、側壁３１が内部空間Ｓ１側へ後退した位置であり、同位置では、注出口Ｓ３が側壁３１に囲まれるか又は袋本体２０内に挿入され、その全体が内部空間Ｓ１内に収容される。
【００３６】
上述の開位置では、注出口Ｓ３を介しての内容物の取り出しが可能となる。内容物が取り出されるとき、内容物は内筒３０の内部空間Ｓ２１内を内側部位３１１の軸方向（以下、進路方向という）Ｂ１に沿って進み、壁部材３２に衝突して向きを変え、注出口Ｓ３から下方へ落下する。本実施形態では、壁部材３２は、進路方向Ｂ１に沿って、注出口Ｓ３の内側（図７Ａの状態で上側）から注出口Ｓ３へ向かう方向に傾斜している。壁部材３２の進路方向Ｂ１に対する傾斜角をα（図４参照）とするとき、３０°≦α≦６０°であることが好ましく、４０°≦α≦５０°であることがより好ましく、本実施形態では、α＝４５°である。特に内容物がゲル状のビーズである場合、上記数値範囲においては、内容物が注出口Ｓ３から概ね図７Ａに実線で示す矢印の方向、すなわち概ね内筒３０の径方向に流れ出す。これにより、内容物が注出口Ｓ３から図７Ａに破線で示す矢印のような方向に飛び出すことが抑制され、内容物が零れにくくなる。
【００３７】
内部空間Ｓ２１内の内容物の通路の径は、注出口Ｓ３付近において壁部材３２の存在により変化する。内容物がビーズのような粒状である場合、内容物の通路の最小径をｒとし、内容物の最大径をＲとしたとき、１．０＜ｒ／Ｒであることが好ましい。なお、内容物の最大径Ｒとは、内容物のサイズにバラつきがあるときの、そのバラつきの中での最大値である。本実施形態では、内容物である球状のビーズの直径の最大値がＲである。また、本実施形態において、内容物の通路の最小径ｒとは、内側部位３１１において注出口Ｓ３の上流側の端部を規定する縁の中心Ｃから、壁部材３２に下した垂線の長さである。ｒ／Ｒの以上の数値範囲によれば、内容物が内部空間Ｓ２１内で詰まることが抑制される。また、ｒ／Ｒ≦２．０であることが好ましい。この数値範囲においては、ビーズが多量に流れ出すことが抑制され、内容物が零れにくくなる。
【００３８】
図４〜図６に示すとおり、側壁３１の内側部位３１１の外面上には、径方向外方へ突出する突起３５，３６が形成されている。突起３５，３６は、側壁３１が口部１０の円筒部１１から脱落することを防止するためのストッパーとなる。突起３５，３６は、内側部位３１１の内側端において、周方向に所定の間隔を空けて（本実施形態では、１８０°の間隔を空けて）配置されている。なお、内筒３０の内側部位３１１の外径は、口部１０の円筒部１１の内径よりも小さく、突起３５，３６の位置での内筒３０の外径は、円筒部１１の内径よりも大きい。そのため、側壁３１は、口部１０を介して内部空間Ｓ１から引き出されるように外力が加えられたとき、突起３５，３６が口部１０の基部１２に接触したときに移動が止まり、脱落が防止される。
【００３９】
また、内側部位３１１には、その内側端から進路方向Ｂ１に沿って延びるスリット状の切込み３７，３８が形成されている。切込み３７，３８は、周方向に所定の間隔を空けて（本実施形態では、１８０°の間隔を空けて）配置されている。また、切込み３７，３８は、突起３５，３６から周方向に所定の間隔（本実施形態では、９０°の間隔を空けて）配置されている。この切込み３７，３８により、内側部位３１１は、その横断面（軸方向の断面）が突起３５，３６を結ぶ方向に縮径されるように、扁平形状に撓むことが可能となる。これにより、内筒３０は、その内側端側から口部１０の円筒部１１内に容易に挿入することができる。なお、かかる効果を奏するためには、突起３５，３６の周方向の中心を結ぶ線と、切込み３７，３８の周方向の中心を結ぶ線とは、交差していることが好ましく、略直交していることがより好ましい。
【００４０】
内筒３０に含まれる側壁３１、壁部材３２、突起３５，３６及び突起３９ａ（後述する）は、一体的に構成されている。内筒３０の材質は、内筒３０としての機能を果たすことができる限り特に限定されないが、本実施形態では硬質の合成樹脂製である。
【００４１】
図７Ａ及び図７Ｂに示すように、内筒３０の外側端には、図８〜図１０に示すキャップ４０が接続される。図８は、キャップ４０の側面図であり、図９は、キャップ４０を外側から見た斜視図であり、図１０は、キャップ４０を内側から見た斜視図である。図８〜図１０は、キャップ４０単体の外観図を示しているが、図７Ａ及び図７Ｂに示すように、キャップ４０は最終的には内筒３０に対し固定され、１つの部品として組み立てられる。
【００４２】
キャップ４０は、円筒状の側壁４１と、側壁４１の外側端の開口を閉じる上面部４２と、上面部４２から側壁４１内において垂下する円筒状の内環部４３とを含む。内環部４３は、側壁４１と同軸に配置されており、側壁４１よりも小径である。また、内環部４３の径は、内筒３０の外側部位３１２の径と略等しく、内環部４３及び外側部位３１２の一方が他方に挿入されて嵌合する。また、キャップ４０の内筒３０からの脱落を防止するために、挿入状態において内環部４３及び外側部位３１２の対向する面には、突起及びこれに対応する孔が形成されている。本実施形態では、外側部位３１２が内環部４３内に挿入されるため、外側部位３１２の外周面に突起３９ａ及び孔３９ｂが形成されており、内環部４３の内周面に、突起３９ａに対応する孔４５ａ及び孔３９ｂに対応する突起４５ｂが形成されている。
【００４３】
側壁４１の内周面には、口部１０のねじ山１５に対応するねじ山４６が形成されている。そのため、内筒３０を口部１０を介して内部空間Ｓ１の深部へと軸方向に押し込むと、ねじ山１５とねじ山４６とが接触してそれ以上押し込むことができない状態が発生する。そして、この状態で、キャップ４０を内筒３０とともにその中心軸周りで回転させると、ねじ山１５とねじ山４６とが螺号し、キャップ４０が口部１０に対して固定される。このとき、内筒３０は、口部１０と袋本体２０とにより形成される内部空間Ｓ１内に収容され、さらにキャップ４０により覆われるため、同空間Ｓ１内に閉じ込められる。これにより、内筒３０は、上述した閉位置にロックされる。また、以上の操作と逆の操作を行うと、ねじ山１５とねじ山４６との結合状態が解除され、内筒３０が口部１０から引き出され、開状態となる。以上の構成から明らかなとおり、キャップ４０は口部１０に対し着脱自在である。
【００４４】
なお、内筒３０の内側部位３１１の外径は、口部１０の円筒部１１の内径よりもやや小さく、従って、内側部位３１１は円筒部１１内で容易に回転することができる。そのため、以上のとおり内筒３０を開位置まで引き出す操作を行ったとき、注出口Ｓ３が下方を向いているとは限らない。従って、上面部４２の外面には、注出口Ｓ３の位置を表すしるしが付されており、本実施形態では、図９に示すような矢印の模様が形成されている。作業者は、この矢印が下を向くように調整しながらキャップ４０及び内筒３０を引き出すことにより、注出口Ｓ３が容易に下方を向くようにセットすることができる。
【００４５】
キャップ４０に含まれる側壁４１、上面部４２、内環部４３、突起４５ｂ及びねじ山４６は、一体的に構成されている。キャップ４０の材質は、キャップ４０としての機能を果たすことができる限り特に限定されないが、本実施形態では硬質の合成樹脂製である。
【００４６】
以上の口部１０、内筒３０及びキャップ４０により、内袋２内から内容物を取り出すための取出口を形成する構造体Ｄが構成される。
【００４７】
＜２−３．外箱＞
次に、外箱３の構造について説明する。外箱３の材質は、特に限定されないが、本実施形態の外箱３は、紙製、より具体的には段ボール製である。外箱３は、図２に示すように、直方体形状に形成されている。バッグインボックス１を組み立てる際には、外箱３の内部に、キャップ４０で口部１０を閉じた状態の内袋２を収容し、その後、内袋２を収容した開口をテープ等で止めて梱包する。なお、使用状態においては口部１０が外箱３０から突出するようにセットされるが、梱包時においては、輸送や搬送のために内袋２は外箱３内に完全に収容される。図１１に示すように、外箱３の１つの側面部５０には、開口部５１が形成されている。内袋２を外箱３内に梱包するときには、外箱３内において、内容物の取出口となる構造体Ｄが開口部５１に対向するように配置される。
【００４８】
開口部５１は、側面部５０に切込みを入れることにより形成される。より具体的には、開口部５１は、両開きの窓の如く開くことができる窓部５２ａ，５２ｂと、これらの窓部５２ａ，５２ｂの合わせ面の下方に配置される円形部５３とを含む。バッグインボックス１の使用時には、切込みに沿って円形部５３を除去する。さらに、切込みに沿って窓部５２ａ，５２ｂを分離し、両窓部５２ａ，５２ｂを開く。これにより、円形部５３を除去したことにより形成される開口と、窓部５２ａ，５２ｂが開かれたことより形成されるより大きな開口とが接続される。そして、窓部５２ａ，５２ｂに対応する開口を介して、外箱３内から構造体Ｄを引き出し、円形部５３に対応する開口にこれを引っ掛けて固定する。より具体的には、側面部５０において円形部５３を囲む部位（口部５５という）を、上述した口部１０の基部１２と突出部１３とに囲まれる空間に挿入する。その後、窓部５２ａ，５２ｂを閉じることにより、バッグインボックス１の使用を開始することができる。
【００４９】
＜３．特徴＞
以上のとおり、上記実施形態に係る取出口の構造体Ｄは、引き出し式によるシンプルな構成でありながら、キャップ４０により高い密閉性が実現される。なお、特許文献１，２のようなコック式の取出口の場合、一般に密閉性が完全とは言えないため、容器の使用開始前においては、コックを構成する部品とは別部品のキャップで、容器側の口部を密閉しておく必要がある。そして、使用時には、キャップを外して、コックを構成する部品に取り換えなければならない。これに対し、上記実施形態の構造体Ｄによれば、そのような問題は存在せず、部品点数も少なくなる。
【００５０】
また、上記実施形態の構造体Ｄは、様々な内容物を収容する容器に利用することができるが、特に固形物が収容される容器に利用するのに適している。特許文献１，２のようなコック式の取出口は、多くの場合、液体物を収容する場合にはよいが、固形物を収容する場合には問題が生じ得る。第１に、固形物を注出するには取出口を一定以上のサイズにする必要があるため、固形物用のコック式の取出口の構造体は大型化してしまう。第２に、コック式の取出口の密閉性は、取出口の構造体が大型化するほど損なわれ易くなる。この点、第１観点に係る非コック式の容器は、第２観点のように固形物が収容される場合において以上の問題を生じさせず、固形物を収容する用途に特に適している。
【００５１】
＜４．変形例＞
以上、本発明の一実施形態について説明したが、本発明は上記実施形態に限定されるものではなく、その趣旨を逸脱しない限りにおいて、種々の変更が可能である。例えば、以下の変更が可能である。また、以下の変形例の要旨は適宜組み合わせることができる。
【００５２】
＜４−１＞
内筒３０とキャップ４０とは、別体として成形した後接続するのではなく、一体的に成形することもできる。
【００５３】
＜４−２＞
キャップ４０と口部１０との固定方法は、上述した螺号による方法に限られない。例えば、キャップ４０及び口部１０の一方に爪を設け、他方に当該爪が引っ掛かる爪受けを設けてもよい。
【００５４】
＜４−３＞
口部１０の円筒部１１の内周面、及び、内筒３０の側壁３１の外周面の一方に、軸方向に延びるスライダーを設け、他方にスライド溝を設ける等することにより、常に注出口Ｓ３が下方を向くように構成することもできる。
【符号の説明】
【００５５】
１  バッグインボックス
２  内袋（容器）
３  外箱（外側容器）
２０  袋本体（容器）
１０  口部
２０  袋本体（容器）
３０  内筒
３１  側壁
３５，３６  ストッパーの突起
３７，３８  切込み
４０  キャップ
Ｄ  取出口を形成する構造体
Ｓ１  内部空間
Ｓ３  注出口
【図１】
2018184182.tif 000003
【図２】
2018184182.tif 000004
【図３】
2018184182.tif 000005
【図４】
2018184182.tif 000006
【図５】
2018184182.tif 000007
【図６】
2018184182.tif 000008
【図７Ａ】
2018184182.tif 000009
【図７Ｂ】
2018184182.tif 000010
【図８】
2018184182.tif 000011
【図９】
2018184182.tif 000012
【図１０】
2018184182.tif 000013
【図１１】
2018184182.tif 000014